(57)【特許請求の範囲】
【請求項１】
置換されていてもよい２，６結合アントラセン繰り返し単位および置換されていてもよい架橋性フルオレン繰り返し単位を含む、ポリマー。
【請求項２】
請求項１に記載のポリマーであって、前記アントラセン繰り返し単位が、式（Ｉ）を有する、ポリマー：
【化１】
0005981926.tif 000031
上式で、ａ、ｂおよびｃは、独立に、０、１、２または３であり、Ｒ３、Ｒ４およびＲ５は、出現ごとに、独立に、
Ａｒ、ここで、前記Ａｒは、ハロゲン；ＣＮ；およびアルキルから選択される１以上の置換基で置換されていてもよいアリールもしくはヘテロアリールからなる群から選択され、前記アルキル基の１以上の隣接していないＣ原子は、Ｏ、Ｓ、Ｎ、Ｃ＝Ｏおよび−Ｃ（＝Ｏ）Ｏ−で置き換えられてよく、前記アルキル基の１以上のＨ原子は、ハロゲンで置き換えられてよい；および
アルキル、ここで、前記アルキル基の１以上の隣接していないＣ原子は、Ｏ、Ｓ、Ｎ、Ｃ＝Ｏおよび−ＣＯＯ−で置き換えられてよく、かつ前記アルキル基の１以上のＨ原子は、ハロゲンによるかまたはＡｒによって置き換えられてよい
から選択される。
【請求項３】
前記アントラセン繰り返し単位が、式（Ｉａ）：
【化２】
0005981926.tif 000032
を有する、請求項２に記載のポリマー。
【請求項４】
ｂが２であり、各々のＲ４が独立に、置換されていてもよいフェニルである、請求項２または３に記載のポリマー。
【請求項５】
各々のＲ４が、少なくとも１つのアルキル基で置換されているフェニルである、請求項４に記載のポリマー。
【請求項６】
置換されていてもよいアミン繰り返し単位をさらに含む、請求項１〜５のいずれか一項に記載のポリマー。
【請求項７】
前記置換されていてもよいアミン繰り返し単位が、式（Ｖ）を有する、請求項６に記載のポリマー：
【化３】
0005981926.tif 000033
上式で、Ａｒ１およびＡｒ２は、出現ごとに、独立に、置換されていてもよいアリールまたはヘテロアリール基から選択され、ｎは、１以上、好ましくは１または２であり、ＲはＨであるかまたは置換基、好ましくは置換基であり；ｘおよびｙは、各々独立に、１、２または３であり；かつ、式（Ｖ）の繰り返し単位中の前記アリールもしくはヘテロアリール基のいずれかは、直接結合または二価の連結原子もしくは基によって連結することができる。
【請求項８】
ｎが２である、請求項７に記載のポリマー。
【請求項９】
各々のＲが、独立に、アルキル、Ａｒ３、またはＡｒ３基の分枝鎖または直鎖、好ましくは−（Ａｒ３）ｒから選択され、Ａｒ３が、出現ごとに、独立に、置換されていてもよいアリールもしくはヘテロアリールから選択され、ｒが、少なくとも１で、１、２または３であってもよい、請求項７または８に記載のポリマー。
【請求項１０】
Ｒ、Ａｒ１およびＡｒ２の各出現が、各々、置換されていてもよいフェニルである、請求項９に記載のポリマー。
【請求項１１】
前記置換されていてもよい架橋性フルオレン繰り返し単位が、次式を有する、請求項１〜１０のいずれか一項に記載のポリマー：
【化４】
0005981926.tif 000034
上式で、Ｒ１およびＲ２は、独立に、
水素；
Ａｒ、ここで、前記Ａｒは、ハロゲン；ＣＮ；およびアルキルから選択される１以上の置換基で置換されていてもよいアリールもしくはヘテロアリールからなる群から選択され、前記アルキル基の１以上の隣接していないＣ原子は、Ｏ、Ｓ、Ｎ、Ｃ＝Ｏおよび−ＣＯＯで置き換えられてよく、前記アルキル基の１以上のＨ原子は、ハロゲンで置き換えられてよい；および
アルキル、ここで、前記アルキル基の１以上の隣接していないＣ原子は、Ｏ、Ｓ、Ｎ、Ｃ＝Ｏおよび−ＣＯＯ−で置き換えられてよく、かつ前記アルキル基の１以上のＨ原子は、ハロゲンによるかまたはＡｒによって置き換えられてよい；ならびに
架橋性基
から選択され、
Ｒ１およびＲ２の少なくとも１つは架橋性基である。
【請求項１２】
前記架橋性基が、架橋性ベンゾシクロブタンを含む、請求項１１に記載のポリマー。
【請求項１３】
請求項１〜１２のいずれか一項に記載のポリマーをアノードの上に溶媒中の溶液から堆積させることにより正孔輸送層を形成する段階と；
前記溶媒を蒸発させ、少なくとも一部の前記架橋性繰り返し単位を架橋する段階と；
発光材料を前記正孔輸送層の上に溶媒中の溶液から堆積させることにより発光層を形成する段階と；
カソードを前記発光層の上に堆積する段階
を含む、有機発光素子を形成する方法。
【請求項１４】
置換されていてもよいアントラセン繰り返し単位、置換されていてもよい架橋性フルオレン繰り返し単位、および次式の置換されていてもよい繰り返し単位を含む、ポリマー：
【化５】
0005981926.tif 000035
上式で、Ａｒ１およびＡｒ２は、各々、独立に、請求項７に記載の置換されていてもよいアリールもしくはヘテロアリール基を表し、各々のＡｒ３は、独立に、請求項９に記載のアリールもしくはヘテロアリール基を表す。
【発明の詳細な説明】
【技術分野】
【０００１】
本発明は、ポリマー、特に有機発光素子での使用に適した正孔輸送ポリマー、およびそれを含む有機発光素子に関する。
【背景技術】
【０００２】
活性有機材料を含む電子素子は、有機発光ダイオード、有機光起電力素子、有機フォトセンサ、有機トランジスタおよびメモリアレイ装置などのデバイスで使用するためにますます注目されている。有機材料を含む素子は、軽重量、低い電力消費および柔軟性などの利益をもたらす。さらに、可溶性有機材料を使用することにより、素子製造において溶液処理、例えばインクジェット印刷またはスピンコーティングを使用することが可能となる。
【０００３】
典型的な有機発光素子（ｏｒｇａｎｉｃ  ｌｉｇｈｔ−ｅｍｉｓｓｉｖｅ  ｄｅｖｉｃｅ：「ＯＬＥＤ」）は、インジウムスズ酸化物（「ＩＴＯ」）などの透明なアノードで被覆されたガラスまたはプラスチックの基板上に二次加工される。少なくとも１つのエレクトロルミネッセンス有機材料の薄膜層が第１の電極の上に施される。最後に、カソードがこのエレクトロルミネッセンス有機材料の層の上に施される。電荷輸送層、電荷注入層または電荷ブロッキング層を、アノードとエレクトロルミネッセンス層の間、および／またはカソードとエレクトロルミネッセンス層の間に施すことができる。
【０００４】
動作時、正孔がアノードを通じて素子に注入され、電子がカソードを通じて素子に注入される。正孔および電子は有機エレクトロルミネッセンス層で結合して励起子を形成し、次にそれは放射性崩壊を受けて発光する。
【０００５】
正孔および／または電子の発光層への輸送を促進するために、正孔輸送層をアノードと有機発光層の間に施すことができ、かつ／または電荷輸送層をカソードと有機発光層の間に施すことができる。正孔輸送層は、例えば、国際公開第９９／４８１６０号に開示されている。
【０００６】
国際公開第９０／１３１４８号では、有機発光材料は、ポリ（フェニレンビニレン）などの共役ポリマーである。米国特許第４，５３９，５０７号では、有機発光材料は、小分子材料として公知の種類のもの、例えばトリス−（８−ヒドロキシキノリン）アルミニウム（「Ａｌｑ３」）である。これらの材料は一重項励起子の放射性崩壊により電界発光するが（蛍光）、スピン統計は、励起子の７５％までが非放射性崩壊を受ける三重項励起子であることを示している。すなわち、蛍光ＯＬＥＤの量子効率は２５％程度に低い可能性がある。例えば、Ｃｈｅｍ．Ｐｈｙｓ．Ｌｅｔｔ．，１９９３，２１０，６１，Ｎａｔｕｒｅ（Ｌｏｎｄｏｎ），２００１，４０９，４９４，Ｓｙｎｔｈ．Ｍｅｔ．，２００２，１２５，５５およびその中の参考文献を参照されたい。
【０００７】
比較的長寿命の三重項励起状態を有し得る三重項励起子が存在することが、三重項−三重項相互作用または三重項−一重項相互作用の結果としてＯＬＥＤ寿命に有害であり得ると仮定された（「寿命」は、本明細書においてＯＬＥＤ寿命との関連で、ＯＬＥＤの輝度が定電流で最初の輝度値から５０％減少するのにかかる時間の長さを意味する）。
【０００８】
米国特許出願公開第２００７／１４５８８６号は、三重項−三重項または三重項−一重項の相互作用を防ぐかまたは減少させるために三重項消光材料を含むＯＬＥＤを開示する。
【０００９】
正孔輸送層は、アノード２と発光層３の間に施すことができる。
【００１０】
米国特許第５９９８０４５号は、アントラセン、フルオレン、ならびに、トリアリールアミン、ジアリールスルホンおよびカルバゾールから選択される第３の成分を含む共重合体を開示した。
【００１１】
特開２００３−１４６９５１号は、有機電界発光素子で使用するためのアントラセン系化合物を開示している。
【００１２】
Ｗ  Ｃｕｉ  ｅｔ  ａｌ，Ｃｈｅｍ．Ｃｏｍｍｕｎ．，２００８，１０１７−１０１９は、ポリ（２，６−アントリレン）を開示している。
【００１３】
米国特許出願公開第２００７／１０２６９５号は、架橋性フルオレン繰り返し単位を含むポリマーを開示している。９，１０−アントラセン共繰り返し単位が開示されている。
【先行技術文献】
【特許文献】
【００１４】
【特許文献１】国際公開第９９／４８１６０号パンフレット
【特許文献２】国際公開第９０／１３１４８号パンフレット
【特許文献３】米国特許第４５３９５０７号明細書
【特許文献４】米国特許出願公開第２００７／１４５８８６号明細書
【特許文献５】米国特許第５９９８０４５号明細書
【特許文献６】特開２００３−１４６９５１号公報
【特許文献７】米国特許出願公開第２００７／１０２６９５号明細書
【非特許文献】
【００１５】
【非特許文献１】Ｃｈｅｍ．Ｐｈｙｓ．Ｌｅｔｔ．，１９９３，２１０，６１，Ｎａｔｕｒｅ（Ｌｏｎｄｏｎ），２００１，４０９，４９４，Ｓｙｎｔｈ．Ｍｅｔ．，２００２，１２５，５５
【非特許文献２】Ｗ  Ｃｕｉ  ｅｔ  ａｌ，Ｃｈｅｍ．Ｃｏｍｍｕｎ．，２００８，１０１７−１０１９
【発明の概要】
【課題を解決するための手段】
【００１６】
第１の態様において、本発明は、アノード、カソード、アノードとカソードの間の発光層およびアノードと発光層の間の正孔輸送層を備える、有機発光素子を提供する。この際、正孔輸送層は、三重項エネルギー準位を有する正孔輸送材料、および正孔輸送材料の三重項エネルギー準位よりも低い三重項エネルギー準位を有する三重項消光単位（ただし、前記三重項消光単位はフラーレンを含まない）を含む。
【００１７】
三重項消光単位は、正孔輸送材料と混合した三重項消光材料であってもよい。
【００１８】
三重項消光単位は、正孔輸送材料と化学結合していてもよい。
【００１９】
正孔輸送材料は、ポリマーであってもよく、三重項消光単位は、前記ポリマーの主鎖中、かつ／または前記ポリマーの１以上の側鎖または１以上の末端基中の繰り返し単位として提供されてもよい。
【００２０】
ポリマーは、置換されていてもよいアミン繰り返し単位を含んでもよい。
【００２１】
ポリマーは、式（Ｖ）の繰り返し単位を含んでもよい：
【００２２】
【化１】
0005981926.tif 000002
上式で、Ａｒ１およびＡｒ２は、出現ごとに、独立に、置換されていてもよいアリールもしくはヘテロアリール基から選択され、ｎは、１以上、好ましくは１または２であり、ＲはＨであるかまたは置換基、好ましくは置換基であり；ｘおよびｙは、各々独立に、１、２または３であり；式（Ｖ）の繰り返し単位中のアリールもしくはヘテロアリール基のいずれかは、直接結合または二価の連結原子もしくは基によって連結することができる。
【００２３】
上式で、ｎは２であってもよい。
【００２４】
各々のＲは、独立に、アルキル、Ａｒ３、またはＡｒ３基の分枝鎖または直鎖、好ましくは−（Ａｒ３）ｒから選択され、Ａｒ３は、出現ごとに、独立に、置換されていてもよいアリールもしくはヘテロアリールから選択されてもよく、ｒは、少なくとも１で、１、２または３であってもよい。
【００２５】
Ｒ、Ａｒ１、およびＡｒ２の各出現は、各々、置換されていてもよいフェニルであってもよい。
【００２６】
ポリマーは、三重項消光繰り返し単位以外の、少なくとも１つの置換されていてもよいアリーレンもしくはヘテロアリーレン繰り返し単位を含むことをさらに含んでもよい。
【００２７】
置換されていてもよいアリーレンもしくはヘテロアリーレン繰り返し単位は、置換されていてもよいフルオレン繰り返し単位であってもよい。
【００２８】
置換されていてもよいフルオレン繰り返し単位は式（ＩＶ）を有してもよい：
【００２９】
【化２】
0005981926.tif 000003
上式で、Ｒ１およびＲ２は、独立に、
水素；
Ａｒ、この際、Ａｒは、ハロゲン；ＣＮ；およびアルキルから選択される１以上の置換基で置換されていてもよいアリールもしくはヘテロアリールからなる群から選択され、前記アルキル基の１以上の隣接していないＣ原子は、Ｏ、Ｓ、Ｎ、Ｃ＝Ｏおよび−ＣＯＯで置き換えられてよく、前記アルキル基の１以上のＨ原子は、ハロゲンで置き換えられてよい；
アルキル、この際、前記アルキル基の１以上の隣接していないＣ原子は、Ｏ、Ｓ、Ｎ、Ｃ＝Ｏおよび−ＣＯＯ−で置き換えられてよく、かつ前記アルキル基の１以上のＨ原子は、ハロゲンによるかまたはＡｒによって置き換えられてよい；ならびに
架橋性基
から選択される。
【００３０】
三重項消光単位は、正孔輸送材料と混合されていてもよい。
【００３１】
三重項消光単位は、正孔輸送材料と結合していてもよい。
【００３２】
正孔輸送材料は、ポリマーであってもよく、三重項消光単位は、ポリマー主鎖中の繰り返し単位、ポリマー主鎖の側鎖またはポリマー末端基として提供されてもよい。
【００３３】
三重項消光単位は、多環芳香族炭化水素、例えば２，６−アントラセン、９，１０−アントラセンおよびその誘導体など；アンタントレンおよびその誘導体；ジスチルアリールおよびその誘導体、例えばジスチリルベンゼン、ジスチリルビフェニル、スチルベン、フルベン、ジベンゾフルベン、ペリレン、線状ポリエン（２−６アルケン）および環状ポリエンなどからなる群から選択され、その各々は１以上の置換基で置換されていてもよい。
【００３４】
第２の態様において、本発明は、置換されていてもよい２，６結合アントラセン繰り返し単位および置換されていてもよい架橋性繰り返し単位を含むポリマーを提供する。
【００３５】
第２の態様によれば、アントラセン繰り返し単位は、式（Ｉ）を有してもよい：
【００３６】
【化３】
0005981926.tif 000004
上式で、ａ、ｂおよびｃは、独立に、０、１、２または３であり、Ｒ３、Ｒ４およびＲ５は、出現ごとに、独立に、
Ａｒ、この際、Ａｒは、ハロゲン；ＣＮ；およびアルキルから選択される１以上の置換基で置換されていてもよいアリールもしくはヘテロアリールからなる群から選択され、前記アルキル基の１以上の隣接していないＣ原子は、Ｏ、Ｓ、Ｎ、Ｃ＝Ｏおよび−Ｃ（＝Ｏ）Ｏ−で置き換えられてよく、前記アルキル基の１以上のＨ原子は、ハロゲンで置き換えられてよい；および
アルキル、この際、前記アルキル基の１以上の隣接していないＣ原子は、Ｏ、Ｓ、Ｎ、Ｃ＝Ｏおよび−ＣＯＯ−で置き換えられてよく、かつ前記アルキル基の１以上のＨ原子は、ハロゲンによるかまたはＡｒによって置き換えられてよい
から選択される。
【００３７】
第２の態様によれば、アントラセン繰り返し単位は、式（Ｉａ）を有してもよい：
【００３８】
【化４】
0005981926.tif 000005
第２の態様によれば、各々のＲ４は、独立に、置換されていてもよいフェニルであってもよい。
【００３９】
第２の態様によれば、各々のＲ４は、少なくとも１つのアルキル基で置換されているフェニルであってもよい。
【００４０】
第２の態様によれば、ポリマーは、置換されていてもよいアミン繰り返し単位を含んでもよい。
【００４１】
第２の態様によれば、置換されていてもよいアミン繰り返し単位は、式（Ｖ）を有してもよい：
【００４２】
【化５】
0005981926.tif 000006
上式で、Ａｒ１およびＡｒ２は、出現ごとに、独立に、置換されていてもよいアリールもしくはヘテロアリール基から選択され、ｎは、１以上、好ましくは１または２であり、ＲはＨであるかまたは置換基、好ましくは置換基であり；ｘおよびｙは、各々独立に、１、２または３であり；かつ、式（Ｖ）の繰り返し単位中の前記アリールもしくはヘテロアリール基のいずれかは、直接結合または二価の連結原子もしくは基によって連結することができる。
【００４３】
第２の態様によれば、ｎは２であってもよい。
【００４４】
第２の態様によれば、各々のＲは、独立に、アルキル、Ａｒ３、またはＡｒ３基の分枝鎖または直鎖、好ましくは−（Ａｒ３）ｒから選択されてもよく、Ａｒ３は、出現ごとに、独立に、置換されていてもよいアリールもしくはヘテロアリールから選択され、ｒは、少なくとも１で、１、２または３であってもよい。
【００４５】
第２の態様によれば、Ｒ、Ａｒ１、およびＡｒ２の各出現は、各々、置換されていてもよいフェニルであってもよい。
【００４６】
第２の態様によれば、ポリマーは、アントラセン繰り返し単位以外の少なくとも１個の置換されていてもよいアリーレンもしくはヘテロアリーレン繰り返し単位を含んでもよい。
【００４７】
第２の態様によれば、架橋性単位は、架橋性基で置換されたアリーレンまたはヘテロアリーレン繰り返し単位を含んでもよい。
【００４８】
第２の態様によれば、置換されていてもよいアリーレンもしくはヘテロアリーレン繰り返し単位は、置換されていてもよいフルオレン繰り返し単位であってもよい。
【００４９】
第２の態様によれば、置換されていてもよいフルオレン繰り返し単位は、次式を有してもよい：
【００５０】
【化６】
0005981926.tif 000007
上式で、Ｒ１およびＲ２は、独立に、
水素；
Ａｒ、この際、Ａｒは、ハロゲン；ＣＮ；およびアルキルから選択される１以上の置換基で置換されていてもよいアリールもしくはヘテロアリールからなる群から選択され、前記アルキル基の１以上の隣接していないＣ原子は、Ｏ、Ｓ、Ｎ、Ｃ＝Ｏおよび−ＣＯＯで置き換えられてよく、前記アルキル基の１以上のＨ原子は、ハロゲンで置き換えられてよい；
アルキル、この際、前記アルキル基の１以上の隣接していないＣ原子は、Ｏ、Ｓ、Ｎ、Ｃ＝Ｏおよび−ＣＯＯ−で置き換えられてよく、かつ前記アルキル基の１以上のＨ原子は、ハロゲンによるかまたはＡｒによって置き換えられてよい；ならびに
架橋性基
から選択される。
【００５１】
第２の態様によれば、架橋性基は、架橋性ベンゾシクロブタンを含んでもよい。
【００５２】
第３の態様では、本発明は、
第２の態様に従うポリマーをアノードの上に溶媒中の溶液から堆積させることにより、正孔輸送層を形成する段階；
溶媒を蒸発させ、少なくとも一部の架橋性繰り返し単位を架橋する段階；
発光材料を正孔輸送層の上に溶媒中の溶液から堆積させることにより、発光層を形成する段階；および
カソードを発光層の上に堆積させる段階
を含む、有機発光素子を形成する方法を提供する。
【００５３】
第４の態様では、本発明は、置換されていてもよいアントラセン繰り返し単位および置換されていてもよい次式の繰り返し単位を含むポリマーを提供する：
【００５４】
【化７】
0005981926.tif 000008
上式で、Ａｒ１およびＡｒ２は、各々、独立に、上記のような置換されていてもよいアリールもしくはヘテロアリール基を表し、各々のＡｒ３は、独立に、上記のようなアリールもしくはヘテロアリール基を表す。第４の態様の繰り返し単位は、本発明の第２の態様においてに記載される通りであってよく、第４の態様のポリマーは、第２の態様に関して説明されるいずれのさらなる繰り返し単位も含んでよい。
【００５５】
本発明は、図面を参照してより詳細に説明される。
【図面の簡単な説明】
【００５６】
【図１】本発明の一実施形態に従う有機発光素子を説明する図である。
【図２】図１の素子における励起子形成を説明する図である。
【図３】図１の素子におけるエネルギー移動を説明する図である。
【発明を実施するための形態】
【００５７】
図１に関して、本発明の一実施形態に従うＯＬＥＤは、アノード２、正孔輸送層３、有機発光層４およびカソード５を有する基板１を含む。
【００５８】
図２に関して、稼働中、アノード２から注入された正孔と、カソード５から注入された電子は、有機発光層４の再結合領域４ａで再結合して励起子を形成し、放射性崩壊によって光（ｈｖ）が放射される。
【００５９】
しかし、正孔と電子の再結合によって形成された励起子の全てが放射性崩壊を受けるものではなく、これらの励起子が素子寿命に有害となり得る。特に、一重項または三重項励起子は、再結合領域４ａが正孔輸送層３との界面に近い場合に特に、発光層４から正孔輸送層３に移動する可能性がある。さらに、三重項励起子は一般に比較的長寿命の種であり、したがってたとえ再結合領域４ａが正孔輸送層３と発光層４の間の界面から比較的離れていても正孔輸送層３に移動する可能性がある。
【００６０】
その上、発光層４を通過して正孔輸送層に到達する電子から、正孔輸送層３で励起子が形成される可能性がある。
【００６１】
いかなる理論にも縛られることを望むものではないが、励起子が正孔輸送層に存在することは、素子性能に有害であると考えられる。例えば、励起子−励起子相互作用は、正孔輸送層の正孔輸送材料で超励起状態の形成をもたらす可能性があり、これらの高エネルギー状態が素子の稼働寿命および／または効率の低下を引き起こす可能性がある。
【００６２】
本発明者らは、２，６結合アントラセン繰り返し単位を正孔輸送ポリマーに含めることにより、素子性能を改善することができることを見出した。この場合もやはり、いかなる理論にも縛られることを望むものではないが、この改善は、少なくとも一部分、アントラセン単位が励起子を受け入れることに起因すると考えられる。
【００６３】
本発明の一実施形態を図３に図示する。この実施形態では、発光層４中の発光材料でエネルギーＳ１Ｅの一重項励起子が形成される。この励起子は放射性崩壊して基底状態Ｓ０Ｅとなり、蛍光を生じる。エネルギーＴ１Ｅの三重項励起子も発光材料で形成されるが、この励起子の放射性崩壊は、形式上禁じられている。この三重項励起子は、正孔輸送層３に移動する可能性があり、この繰り返し単位の三重項エネルギー準位Ｔ１ＨＴがＴ１Ｅよりも低い場合に、正孔輸送層３の正孔輸送ポリマーの正孔輸送繰り返し単位ＨＴによって三重項励起子が受容される場合がある。
【００６４】
正孔輸送繰り返し単位の分解を防ぐため、三重項励起子をＴ１ＨＴからＴ１Ｑに移動させるために、Ｔ１ＨＴよりも低い三重項励起状態のエネルギー準位Ｔ１Ｑを有する２，６−アントラセン消光繰り返し単位などの三重項消光単位を提供する。
【００６５】
正孔輸送材料の三重項エネルギー準位および消光材料は、例えば、Ｙ．Ｖ．Ｒｏｍａｏｖｓｋｉｉ  ｅｔ  ａｌ，Ｐｈｙｓｉｃａｌ  Ｒｅｖｉｅｗ  Ｌｅｔｔｅｒｓ，２０００，８５（５），ｐ１０２７およびＡ．ｖａｎ  Ｄｉｊｋｅｎ  ｅｔ  ａｌ，Ｊｏｕｒｎａｌ  ｏｆ  ｔｈｅ  Ａｍｅｒｉｃａｎ  Ｃｈｅｍｉｃａｌ  Ｓｏｃｉｅｔｙ，２００４，１２６，ｐ７７１８に記載されるように、それらのリン光スペクトルから決定することができる。さらに、またはあるいは、三重項消光剤としての使用に適した多数の材料の三重項エネルギー準位は、Ｈａｎｄｂｏｏｋ  ｏｆ  Ｐｈｏｔｏｃｈｅｍｉｓｔｒｙ，２ｎｄ  Ｅｄｉｔｉｏｎ，Ｓｔｅｖｅｎ  Ｌ  Ｍｕｒｏｖ，Ｉａｎ  Ｃａｒｍｉｃｈａｅｌ  ａｎｄ  Ｇｏｒｄｏｎ  Ｌ  Ｈｕｇに見出すことができる。
【００６６】
同様に、正孔輸送繰り返し単位の一重項励起状態のエネルギー準位が、２，６−アントラセン繰り返し単位のものよりも高い場合、正孔輸送層３の正孔輸送繰り返し単位の一重項励起子は、２，６−アントラセン繰り返し単位に移動する可能性がある。この場合、２，６−アントラセン繰り返し単位に移動した一重項励起子は、放射性（蛍光）崩壊を受ける可能性がある。
【００６７】
２，６−アントラセン繰り返し単位は、１以上の置換基で置換されていてもよい。好ましい置換基は、アルキルである。
【００６８】
三重項消光単位は、一連の材料から選択されてよく、その１以上、例えば１以上の単環式もしくは多環式環を含み、１以上のアルケニル基またはアルキニル基を含んでいてもよい芳香族または複素芳香族化合物、例えば多環芳香族炭化水素、例えば２，６−アントラセン、９，１０−アントラセンおよびその誘導体など；アンタントレンおよびその誘導体；ジスチルアリールおよびその誘導体、例えばジスチリルベンゼン、ジスチリルビフェニル、スチルベン、フルベン、ジベンゾフルベン、ペリレン、線状ポリエン（２−６アルケン）および環状ポリエンなど、例えばシクロオクタテトラエンなど、ならびに、その内容が参照により本明細書に援用されるＨａｎｄｂｏｏｋ  ｏｆ  Ｐｈｏｔｏｃｈｅｍｉｓｔｒｙ，２ｎｄ  Ｅｄｉｔｉｏｎ，Ｓｔｅｖｅｎ  Ｌ  Ｍｕｒｏｖ，Ｉａｎ  Ｃａｒｍｉｃｈａｅｌ  ａｎｄ  Ｇｏｒｄｏｎ  Ｌ  Ｈｕｇに記載されるさらなる材料を、２，６−アントラセン繰り返し単位に加えて、または代わるものとして使用することができる。
【００６９】
各々の前記三重項消光単位は、置換されていてもよく、例えば、以下から選択される１以上の置換基で置換されてよい：
１以上の隣接していないＣ原子が、Ｏ、Ｓ、置換Ｎ、Ｃ＝Ｏおよび−ＣＯＯ−で置き換えられてよく、前記アルキル基の１以上のＨ原子が、Ｆ、または、１以上の基Ｒ４で置換されていてもよいアリールもしくはヘテロアリールで置き換えられてよい、アルキル、
１以上の基Ｒ４で置換されていてもよいアリールもしくはヘテロアリール、
ＮＲ５２、ＯＲ５、ＳＲ５、
フッ素、ニトロおよびシアノ；
この際、各々のＲ４は、独立に、１以上の隣接していないＣ原子を、Ｏ、Ｓ、置換Ｎ、Ｃ＝Ｏおよび−ＣＯＯ−で置き換えることのできるアルキルであり、前記アルキル基の１以上のＨ原子はＦで置き換えることができ、各々のＲ５は、独立に、アルキルおよび１以上のアルキル基で置換されていてもよいアリールまたはヘテロアリールからなる群から選択される。
【００７０】
好ましい置換基としては、アルキル基、例えばＣ１−２０アルキル、または１以上のアリール基、例えばフェニルが挙げられ、各々の前記アリール置換基は、例えば１以上のアルキル基で、それ自体が置換されていてもよい。
【００７１】
例となるジスチリルアリール化合物には、以下のものが挙げられる：
【００７２】
【化８】
0005981926.tif 000009
例となるアンタントレン化合物には、以下のものが挙げられる：
【００７３】
【化９】
0005981926.tif 000010
上式で、Ａｋは、アルキル、特に分枝鎖または直鎖Ｃ１−１０アルキルである。特に好ましいアルキル基は、ｎ−ブチル、ｔ−ブチル、ｎ−ヘキシルおよびｎ−オクチルである。
【００７４】
例となるペリレン三重項消光単位は、次式Ａを有する：
【００７５】
【化１０】
0005981926.tif 000011
上式で、Ｒ１’〜Ｒ４’は、随意の置換基、例えばアルキル（例、Ｃ１−２０アルキル）、置換されていてもよいアリール（例、置換されていてもよいフェニル）、アルコキシ、チオエーテルおよびアミンからなる群から選択される置換基である。好ましい置換基は、アルキル、より好ましくは分枝アルキル；およびフェニル、より好ましくはアルキル置換フェニルである。置換基Ｒ１’〜Ｒ４’は、２位、５位、８位および１１位に存在し得る。Ｒ基の少なくとも１つは、正孔輸送材料との結合を含む。
【００７６】
三重項消光単位は、正孔輸送材料、および、正孔輸送層を形成するために使用する組成物中に存在し得る任意のその他の成分と物理的に混合されている化合物であってもよいし、あるいは、それは、正孔輸送材料と、または存在する場合にこれらのその他の成分の１つと結合していてもよい。正孔輸送材料が正孔輸送ポリマーである場合、三重項消光単位は、ポリマー主鎖中の繰り返し単位、ポリマー主鎖から垂下する１以上の側基、または１以上のポリマー末端基として提供され得る。
【００７７】
三重項消光単位は、少なくとも２つの重合可能な基、例えば金属触媒クロスカップリング反応に関与することのできる脱離基などで置換された三重項受け入れ繰り返し単位を含むモノマーを重合することにより、正孔輸送ポリマーの主鎖に結合させることができる（３個以上の脱離基を含むモノマーの重合が、３個以上の脱離基が反応する場合に、ポリマーに分岐点を作ることになることは当然理解される）。三重項受け入れ単位のｓｐ２炭素原子上の脱離基の置換をこの目的に使用することができる。例となる脱離基としては、下により詳細に説明される、スズキまたはヤマモト重合反応で使用するためのハロゲンおよびボロン酸またはエステル基が挙げられる。三重項受け入れ単位は、正孔輸送ポリマーのどんな繰り返し単位とも結合することができる。一実施形態では、このポリマーは、三重項を受け入れる繰り返し単位、下に記載される式（Ｖ）の繰り返し単位などの正孔輸送単位およびアリーレン共繰り返し単位、例えば下に記載される式（ＩＶ）の繰り返し単位を含む。
【００７８】
正孔輸送材料が正孔輸送ポリマーである場合、ペリレンを側鎖としてポリマーの主鎖に共有結合させることができ、それは、以下の置換されていてもよい構造単位を含み得る：
【００７９】
【化１１】
0005981926.tif 000012
この構造単位は、例えば、下の式ＩＩに示されるように、Ｃ２、Ｃ５、およびＣ８の位置のいずれか１箇所以上で置換されてよい：
【００８０】
【化１２】
0005981926.tif 000013
上式で、Ｒ１’、Ｒ２’、およびＲ３’は、各々、独立に、上に定義されるような随意の置換基を表す。１つの好ましい実施形態では、置換基Ｒ１’、Ｒ２’、およびＲ３’の全てが存在する。Ｒ１’、Ｒ２’、およびＲ３’は、ペリレンの縮合環を保護するように働き得る。Ｒ１’、Ｒ２’、およびＲ３’の各々は、ｔ−ブチルを表してもよい。
【００８１】
ペリレンは、スペーサー基を介して正孔輸送ポリマーの主鎖に連結することができる。スペーサー基は、共役していても共役していなくてもよい。共役スペーサー基には、例えば、フェニレンが含まれる。非共役スペーサー基には、例えば、アルキレンが含まれる。
【００８２】
ペリレンは、ポリマー主鎖の中に直接的に連結させることもできる。
【００８３】
一実施形態では、ペリレン単位が結合しているポリマーの主鎖中の繰り返し単位は、フルオレン、より好ましくは９，９二置換フルオレンを含むことが好ましい。ペリレン単位は、例えば式ＶＩＩ〜Ｘに示されるように、フルオレン単位の９−置換基（ｓｕｂｓｉｔｕｔｅｎｔ）として提供されてよい：
【００８４】
【化１３】
0005981926.tif 000014
0005981926.tif 000015
上式で、Ｒ１、Ｒ１’、Ｒ２’、およびＲ３’は、上に定義される通りであり；Ｒ５’は、スペーサー基、好ましくはアルキレン、アリーレン（特にフェニレン）、酸素、窒素、硫黄またはそれらの組合せ、特にアリールアルキルであり；かつ、ｎは、１〜１０である。
【００８５】
Ｒ１は、Ｈまたは置換基、例えば置換されていてもよいＣ１−Ｃ２０アルキルもしくはアリール基を表す。
【００８６】
ペリレン単位が共役ポリマーの主鎖中の繰り返し単位として提供される実施形態に関して、ペリレン単位は、隣接する繰り返し単位に直接結合されているか、またはスペーサー基を介して結合されていてよい。ペリレン単位はどんな位置を介して結合されていてもよく、どんな位置で置換されていてもよい。この実施形態に従う好ましい繰り返し単位には、式ＸＩおよびＸＩＩが含まれる：
【００８７】
【化１４】
0005981926.tif 000016
上式で、Ｒ１’、Ｒ２’、およびＲ５’は、上に定義される通りである。
【００８８】
式ＸＩおよびＸＩＩは、その８位および１１位を介するペリレン単位の連結を説明するが、２位、５位、８位および１１位のうちの２つの任意の組合せを介して該単位が連結される、類似する繰り返し単位が提供され得ることは当然理解される。
【００８９】
ペリレン単位が正孔輸送ポリマーの末端基として共有結合されている実施例に関して、好ましい末端基は、式ＸＩＩＩおよびＸＩＶを有する：
【００９０】
【化１５】
0005981926.tif 000017
上式で、Ｒ１’、Ｒ２’、Ｒ３’、およびＲ５’は、上に定義される通りである。
【００９１】
ポリマーは、好ましくは線状ポリマーであり、ペリレン末端基は、ポリマー鎖の一方または両方の端部に存在する。
【００９２】
正孔輸送ポリマーを製造するのに適したペリレンモノマーの一部の例を下に示す：
【００９３】
【化１６】
0005981926.tif 000018
0005981926.tif 000019
例となる三重項消光アンタントレン繰り返し単位には、以下のものが挙げられる：
【００９４】
【化１７】
0005981926.tif 000020
上式で、＊は、繰り返し単位をポリマー鎖の中に連結するための連結点を表し、Ａｋは、アルキル、特に分枝鎖または直鎖Ｃ１−１０アルキルである。特に好ましいアルキル基は、ｎ−ブチル、ｔ−ブチル、ｎ−ヘキシルおよびｎ−オクチルである。
【００９５】
三重項受け入れ単位は、１つの重合可能な基、例えば金属触媒クロスカップリング反応に関与することのできる脱離基、例えばハロゲンまたはボロン酸もしくはエステルで置換された化合物を、ポリマーの脱離基と反応させることにより、正孔輸送ポリマーの側基または末端基として得ることができる。
【００９６】
あるいは、下に図示されるようにモノマーの置換基として側基を提供することにより、正孔輸送ポリマーの中に側基を組み込むことができる：
【００９７】
【化１８】
0005981926.tif 000021
上式で、ＰＧは、上記のような脱離基などの重合可能な基、または重合可能な二重結合を表す。
【００９８】
広範囲にわたるさらなる繰り返し単位がポリマーに存在してよく、例となるさらなるポリマーの繰り返し単位を以下に記載する。
【００９９】
正孔輸送繰り返し単位
適した正孔輸送繰り返し単位は、アノードの仕事関数の約０．５ｅＶ以内、約０．３ｅＶ以内であってよいＨＯＭＯ準位、あるいはアノードと正孔輸送層（例えば正孔注入層など）との間の層の仕事関数またはＨＯＭＯ準位を、素子の正孔輸送層にもたらす単位であり得る。正孔輸送繰り返し単位は、アノードの、またはアノードと正孔輸送層との間の層のＨＯＭＯ準位よりも浅い（すなわち、真空に近い）ＨＯＭＯ準位を正孔輸送ポリマーにもたらすことができる。正孔輸送ポリマーは、正孔輸送層から発光層への十分な正孔輸送をもたらすために、発光層のＨＯＭＯの約０．３ｅＶ以内のＨＯＭＯ準位を正孔輸送層にもたらすことができる。正孔輸送ポリマーのＨＯＭＯ準位は、例えば、サイクリックボルタンメトリーによって測定することができる。
【０１００】
例となるポリマーの正孔輸送繰り返し単位としては、アリールアミン繰り返し単位、特に式（Ｖ）の繰り返し単位が挙げられる：
【０１０１】
【化１９】
0005981926.tif 000022
上式で、Ａｒ１およびＡｒ２は、出現ごとに、独立に、置換されていてもよいアリールもしくはヘテロアリール基から選択され、ｎは、１以上、好ましくは１または２であり、ＲはＨであるかまたは置換基、好ましくは置換基であり、ｘおよびｙは、各々独立に、１、２または３である。
【０１０２】
「アリール（エン）」および「ヘテロアリール（エン）」は、本明細書において、それぞれ、縮合および非縮合アリール基の両方と、縮合および非縮合ヘテロアリール基の両方が含まれる。
【０１０３】
Ｒは、好ましくはアルキル、Ａｒ３、またはＡｒ３基の分枝鎖または直鎖、例えば−（Ａｒ３）ｒであり、Ａｒ３は、出現ごとに、独立に、アリールまたはヘテロアリールから選択され、ｒは、少なくとも１で、１、２または３であってもよい。
【０１０４】
Ａｒ１、Ａｒ２およびＡｒ３のいずれかは、独立に、１個以上の置換基で置換されてよい。好ましい置換基は、以下から成る基Ｒ３から選択される：
アルキル（１以上の隣接していないＣ原子は、Ｏ、Ｓ、置換Ｎ、Ｃ＝Ｏおよび−ＣＯＯ−で置き換えることができ、前記アルキル基の１以上のＨ原子は、Ｆまたは１以上の基Ｒ４で置換されていてもよいアリールもしくはヘテロアリールで置き換えることができる）、
１以上の基Ｒ４で置換されていてもよいアリールもしくはヘテロアリール、
ＮＲ５２、ＯＲ５、ＳＲ５、
フッ素、ニトロおよびシアノ；
この際、各々のＲ４は、独立に、１以上の隣接していないＣ原子を、Ｏ、Ｓ、置換Ｎ、Ｃ＝Ｏおよび−ＣＯＯ−で置き換えることのできるアルキルであり、前記アルキル基の１以上のＨ原子はＦで置き換えることができ、各々のＲ５は、独立に、アルキルおよび１以上のアルキル基で置換されていてもよいアリールまたはヘテロアリールからなる群から選択される。
【０１０５】
Ｒは、例えば下記のような架橋性基を含んでよい。
【０１０６】
式（Ｖ）の繰り返し単位中のアリール基またはヘテロアリール基のいずれかは、直接結合または二価の連結原子もしくは基によって連結され得る。好ましい二価の連結原子および基としては、Ｏ、Ｓ；置換Ｎ；および置換Ｃが挙げられる。
【０１０７】
存在する場合、Ｒ３、Ｒ４または二価連結基の置換Ｎまたは置換Ｃは、独立に、出現ごとに、それぞれ、Ｒ６がアルキルまたは置換されていてもよいアリールもしくはヘテロアリールである、ＮＲ６またはＣＲ６２であり得る。アリール基またはヘテロアリール基Ｒ６の随意の置換基は、Ｒ４またはＲ５から選択され得る。
【０１０８】
１つの好ましい配置では、Ｒは、Ａｒ３であり、Ａｒ１、Ａｒ２およびＡｒ３の各々は、独立に、１以上のＣ１−２０アルキル基で置換されていてもよい。
【０１０９】
式１を満たす特に好ましい単位としては、式１〜３の単位が挙げられる：
【０１１０】
【化２０】
0005981926.tif 000023
上式で、Ａｒ１およびＡｒ２は、上に定義される通りであり；Ａｒ３は、置換されていてもよいアリールもしくはヘテロアリールである。存在する場合、Ａｒ３の好ましい置換基としては、Ａｒ１およびＡｒ２に関して記載される置換基、特にアルキル基およびアルコキシ基が挙げられる。
【０１１１】
Ａｒ１、Ａｒ２およびＡｒ３は、好ましくはフェニルであり、その各々は、独立に、上記の１個以上の置換基で置換されてよい。
【０１１２】
もう一つの好ましい配置では、式（Ｖ）のアリール基またはヘテロアリール基は、フェニルであり、各々のフェニル基は、１以上のアルキル基で置換されていてもよい。
【０１１３】
もう一つの好ましい配置では、Ａｒ１、Ａｒ２およびＡｒ３は、フェニルであり、その各々は、１以上のＣ１−２０アルキル基で置換されてよく、ｒ＝１である。
【０１１４】
もう一つの好ましい配置では、Ａｒ１およびＡｒ２はフェニルであり、その各々は、１以上のＣ１−２０アルキル基で置換されてよく、Ｒは、各々のフェニルが１以上のアルキル基で置換されてよい３，５−ジフェニルベンゼンである。
【０１１５】
さらにもう一つの好ましい配置では、Ａｒ１、Ａｒ２およびＡｒ３は、フェニルであり、その各々は、１以上のＣ１−２０アルキル基で置換されてよく、ｒ＝１であり、Ａｒ１およびＡｒ２は、ＯまたはＳ原子によって連結されている。
【０１１６】
さらにもう一つの好ましい配置では、Ａｒ１、Ａｒ２およびＡｒ３は、フェニルであり、その各々は、１以上のＣ１−２０アルキル基で置換されてよく、ｒ、ｘおよびｙは全て１であり、ｎ＝２であり、Ａｒ１およびＡｒ２は、ＯまたはＳ原子によって連結されている。
【０１１７】
さらなる繰り返し単位
置換されていてもよい２，６−アントラセン繰り返し単位に加えて、ポリマーは、別の置換されていてもよいアリーレン繰り返し単位または置換されていてもよいヘテロアリーレン繰り返し単位をさらに含むことができる。例となるアリーレン繰り返し単位は、例えば、Ａｄｖ．Ｍａｔｅｒ．２０００  １２（２３）１７３７−１７５０に開示され、それには、Ｊ．Ａｐｐｌ．Ｐｈｙｓ．１９９６，７９，９３４に開示される１，４−フェニレン繰り返し単位；欧州特許第０８４２２０８号に開示されるフルオレン繰り返し単位；例えば、Ｍａｃｒｏｍｏｌｅｃｕｌｅｓ  ２０００，３３（６），２０１６−２０２０に開示されるインデノフルオレン繰り返し単位；および、例えば、欧州特許第０７０７０２０号に開示されるスピロフルオレン繰り返し単位が含まれる。これらの繰り返し単位の各々は、置換されていてもよい。置換基の例としては、Ｃ１−２０アルキルまたはアルコキシなどの可溶化基；フッ素、ニトロまたはシアノなどの電子吸引基；およびポリマーのガラス転移温度（Ｔｇ）を上昇させる置換基が挙げられる。
【０１１８】
特に好ましいアリーレン繰り返し単位は、置換されていてもよい２，７結合フルオレン、最も好ましくは式ＩＶの繰り返し単位を含む：
【０１１９】
【化２１】
0005981926.tif 000024
上式で、Ｒ１およびＲ２は、独立にＨまたは置換基であり、Ｒ１およびＲ２は、連結されて環を形成することができる。Ｒ１およびＲ２は、好ましくは、水素；１以上の隣接していないＣ原子を、Ｏ、Ｓ、Ｎ、Ｃ＝Ｏおよび−ＣＯＯ−で置き換えることのできる、置換されていてもよいアルキル；置換されていてもよいアリールもしくはヘテロアリール、特に１以上のアルキル基で置換されているアリールもしくはヘテロアリール、例えばＣ１−２０アルキル；および、置換されていてもよいアリールアルキルまたはヘテロアリールアルキルからなる群から選択される。より好ましくは、Ｒ１およびＲ２の少なくとも１つは、置換されていてもよいアルキル（ａｌｋｙ）、例えばＣ１−Ｃ２０アルキル、またはアリール、特にフェニル、基を含む。Ｒ１およびＲ２は、各々、独立に、アリールもしくはヘテロアリール基の線状もしくは分枝鎖を含んでよく、それらの基の各々、例えば上記の式（Ａｒ３）ｒの基は、独立に置換されてよい。
【０１２０】
Ｒ１またはＲ２がアリールまたはヘテロアリールを含む場合、好ましい随意の置換基としては、１以上の隣接していないＣ原子を、Ｏ、Ｓ、Ｎ、Ｃ＝Ｏおよび−ＣＯＯ−で置き換えることのできるアルキル基が挙げられる。
【０１２１】
Ｒ１及び／またはＲ２は、例えば下記のような架橋性基を含んでよい。架橋性基は、スペーサー基、例えば１以上の隣接していないＣ原子がＯ、Ｓ、Ｎ、Ｃ＝Ｏおよび−Ｃ（＝Ｏ）Ｏ−で置換されていてよい、置換されていてもよいアルキル基によって、フルオレン単位から一定間隔に置かれてよい。
【０１２２】
置換基Ｒ１およびＲ２以外の、フルオレン単位の随意の置換基は、１以上の隣接していないＣ原子を、Ｏ、Ｓ、Ｎ、Ｃ＝Ｏおよび−ＣＯＯ−で置き換えることのできるアルキル、置換されていてもよいアリール、置換されていてもよいヘテロアリール、アルコキシ、アルキルチオ、フッ素、シアノおよびアリールアルキルからなる群から選択されることが好ましい。
【０１２３】
架橋性基および繰り返し単位
架橋性繰り返し単位は、例えば式（ＩＶ）および（Ｖ）の繰り返し単位に関して上に具体的に記載されるように、架橋性基で置換された前述の繰り返し単位のいずれか１つとして提供され得る。適した架橋性基としては、置換されていてもよいアクリレート基またはビニル基などの架橋性二重結合を含む基、特に末端（＝ＣＨ２）二重結合、置換（縮合を含む）されていてもよいオキセタンおよび置換（縮合を含む）されていてもよいシクロブタン、例えばベンゾシクロブタンを含む基が挙げられる。
【０１２４】
重合方法
共役電荷輸送ポリマーの作製に好ましい方法は、金属錯体触媒の金属原子が、アリールもしくはヘテロアリール基とモノマーの脱離基の間に挿入される「金属挿入」を含む。例となる金属挿入法は、例えば、国際公開第００／５３６５６号に記載されるスズキ重合、および、例えば、Ｔ．Ｙａｍａｍｏｔｏ，「Ｅｌｅｃｔｒｉｃａｌｌｙ  Ｃｏｎｄｕｃｔｉｎｇ  Ａｎｄ  Ｔｈｅｒｍａｌｌｙ  Ｓｔａｂｌｅ  π−Ｃｏｎｊｕｇａｔｅｄ  Ｐｏｌｙ（ａｒｙｌｅｎｅ）ｓ  Ｐｒｅｐａｒｅｄ  ｂｙ  Ｏｒｇａｎｏｍｅｔａｌｌｉｃ  Ｐｒｏｃｅｓｓｅｓ」，Ｐｒｏｇｒｅｓｓ  ｉｎ  Ｐｏｌｙｍｅｒ  Ｓｃｉｅｎｃｅ  １９９３，１７，１１５３−１２０５に記載されるヤマモト重合である。ヤマモト重合の場合、ニッケル錯体触媒が使用され、スズキ重合の場合、パラジウム錯体触媒が使用される。
【０１２５】
例えば、ヤマモト重合による線状ポリマーの合成では、２個の反応性ハロゲン基を有するモノマーが使用される。同様に、スズキ重合の方法によれば、少なくとも１個の反応性基は、ボロン酸またはボロン酸エステルなどのホウ素誘導体基であり、もう一方の反応性基は、ハロゲンである。好ましいハロゲンは、塩素、臭素およびヨウ素であり、最も好ましくは臭素である。
【０１２６】
したがって、本願を通じて説明される繰り返し単位は、適した脱離基を担持するモノマーから誘導されることが理解されるであろう。同様に、末端基または側基は、適した脱離基の反応によってポリマーに結合させることができる。
【０１２７】
スズキ重合は、レギオレギュラー、ブロックおよびランダム共重合体を調製するために使用することができる。特に、ホモポリマーまたはランダム共重合体は、一方の反応性基がハロゲンであり、もう一方の反応性基がホウ素誘導体基である場合に、調製することができる。あるいは、ブロックまたはレギオレギュラー（特にＡＢ）共重合体は、第１のモノマーの両方の反応性基がホウ素であり、第２のモノマーの両方の反応性基がハロゲンである場合に調製することができる。
【０１２８】
ハロゲン化物の代替物として、金属挿入に関与する能力のあるその他の脱離基としては、トシレート、メシレートおよびトリフレートを含む基が挙げられる。
【０１２９】
発光層
発光層での使用に適した発光材料としては、小分子、ポリマーおよびデンドリマー材料、ならびにその組成物が挙げられる。層３での使用に適した発光ポリマーとしては、共役ポリマー、例えば、ポリ（ｐ−フェニレンビニレン）などの置換されていてもよいポリ（アリーレンビニレン）および、置換されていてもよいポリアリーレン、例えば：ポリフルオレン、特に、２，７結合９，９ジアルキルポリフルオレンまたは２，７結合９，９ジアリールポリフルオレン；ポリスピロフルオレン、特に２，７結合ポリ−９，９−スピロフルオレン；ポリインデノフルオレン、特に２，７結合ポリインデノフルオレン；ポリフェニレン、特にアルキルまたはアルコキシ置換ポリ−１，４−フェニレンなどが挙げられる。そのようなポリマーは、例えば、Ａｄｖ．Ｍａｔｅｒ．２０００  １２（２３）１７３７−１７５０およびその中の参考文献に開示される通りである。
【０１３０】
本発明に従う素子中の発光材料として使用するためのポリマーは、上記のような置換されていてもよいアリーレンもしくはヘテロアリーレン繰り返し単位、特に上記の式（ＩＶ）のフルオレン繰り返し単位から選択される繰り返し単位を含んでよい。
【０１３１】
発光ポリマー、特に青色発光ポリマーは、上記のような置換されていてもよいアリーレンもしくはヘテロアリーレン繰り返し単位、およびアリールアミン繰り返し単位、特に上記のような式（Ｖ）の繰り返し単位を含んでよい。
【０１３２】
発光層は、発光材料だけで構成されてもよいし、この材料を１以上のさらなる材料と組み合わせて含んでもよい。特に、発光ポリマーは、正孔および／または電子輸送材料とブレンドしてもよいし、あるいは、例えば、国際公開第９９／４８１６０号に開示されるように、正孔および／または電子輸送材料と共有結合させてもよい。
【０１３３】
発光共重合体は、例えば、国際公開第００／５５９２７号および米国特許第６３５３０８３号に開示されるように、発光領域と、正孔輸送領域および電子輸送領域のうちの少なくとも１つを含むことができる。正孔輸送領域および電子輸送領域のうちの一方しか設けられていない場合、エレクトロルミネッセンス領域は、正孔輸送および電子輸送機能性のもう一方も提供することができる。例えば、上記のようなアミン単位は、正孔輸送も発光機能性も提供することができる。発光繰り返し単位および正孔輸送繰り返し単位と電子輸送繰り返し単位の一方または両方を含む発光共重合体は、前記単位を、米国特許６３５３０８３号のようにポリマー主鎖中に、またはポリマー主鎖から垂下するポリマー側基に設けることができる。
【０１３４】
発光層は、ホスト材料および少なくとも１つの発光ドーパントを含んでよい。ホスト材料は、ドーパントの不在下で光自体を放つ、上記のような材料であり得る。ホスト材料およびドーパントを１つの素子で使用する場合、ドーパントだけが発光してもよい。あるいは、ホスト材料および１以上のドーパントが発光してもよい。白色光は、複数の光源からの発光、例えば、ホストと１以上のドーパントの両方からの発光または複数のドーパントからの発光によって生成することができる。
【０１３５】
蛍光発光ドーパントの場合、一重項励起子をホスト材料から蛍光発光ドーパントへ移動させることができるように、ホスト材料の一重項励起状態のエネルギー準位（Ｓ１）は、蛍光発光ドーパントのエネルギー準位よりも高くなければならない。同様に、リン光発光ドーパントの場合には、三重項励起子をホスト材料から蛍光発光ドーパントに移動させることができるように、ホスト材料の三重項励起状態のエネルギー準位（Ｔ１）は、リン光発光ドーパントのエネルギー準位よりも高くなければならない。
【０１３６】
発光ドーパントは、ホスト材料と物理的に混合してもよいし、発光ドーパントと電荷輸送材料の結合に関して上に記載されるものと同じ方法で、ホスト材料と化学結合させてもよい。適した発光ドーパントは、以下により詳細に記載される。
【０１３７】
発光層は、パターニングされていてもパターニングされていなくてもよい。パターニングされていない層を含む素子は、例えば照明源として使用することができる。白色発光素子はこの目的に特に適している。パターニングされた層を含む素子は、例えば、アクティブ・マトリックス・ディスプレイであってもよいし、パッシブ・マトリックス・ディスプレイであってもよい。アクティブ・マトリックス・ディスプレイの場合、パターニングされたエレクトロルミネッセンス層は、パターニングされたアノード層およびパターニングされていないカソードと組み合わせて使用される。パッシブ・マトリックス・ディスプレイの場合、アノード層は、平行なストライプ状のアノード材料、ならびにアノード材料に垂直に配置された平行なストライプ状のエレクトロルミネッセンス材料およびカソード材料で形成され、この際、ストライプ状のエレクトロルミネッセンス材料およびカソード材料は、一般に、フォトリソグラフィによって形成されるストライプ状の絶縁材料（「カソードセパレータ」）によって分離されている。
【０１３８】
発光ドーパント
発光層において蛍光またはリン光発光ドーパントとして使用することのできる材料としては、置換されていてもよい式（ＩＩＩ）の錯体：
【０１３９】
【化２２】
0005981926.tif 000025
を含む金属錯体が挙げられ、
上式で、Ｍは、金属であり；Ｌ１、Ｌ２およびＬ３の各々は、配位基であり；ｑは、整数であり；ｒおよびｓは、各々独立に０または整数であり；（ａ．ｑ）＋（ｂ．ｒ）＋（ｃ．ｓ）の合計は、Ｍで利用可能な配位座の数に等しい。上式で、ａは、Ｌ１の配位座の数であり、ｂは、Ｌ２の配位座の数であり、ｃは、Ｌ３の配位座の数である。
【０１４０】
重元素Ｍは、強いスピン軌道カップリングを誘導して、急速な項間交差および三重項またはそれよりも高い状態からの発光（リン光）を可能にする。適した重金属Ｍとしては：
−ランタニド金属、例えばセリウム、サマリウム、ユウロピウム、テルビウム、ジスプロシウム、ツリウム、エルビウムおよびネオジムなど；ならびに
−ｄ−ブロック金属、特に２列および３列のもの、すなわち、３９〜４８番および７２〜８０番の元素、特にルテニウム、ロジウム、パラジウム、レニウム、オスミウム、イリジウム、白金および金。イリジウムが特に好ましい。
【０１４１】
ｆ−ブロック金属に適した配位基には、酸素供与系または窒素供与系、例えばカルボン酸、１，３−ジケトナート、ヒドロキシカルボン酸、アシルフェノールおよびイミノアシル基を含むシッフ塩基などが含まれる。公知のように、発光ランタニド金属錯体は、金属イオンの第一励起状態よりも高い三重項励起エネルギー準位を有する増感基（群）を必要とする。発光は、金属のｆ−ｆ遷移から生じるので、発光色は金属の選択によって決定される。鋭い発光は通常狭く、ディスプレイ用途に有用な純色の発光をもたらす。
【０１４２】
ｄ−ブロック金属は、三重項励起状態からの発光に特に適している。これらの金属は、ポルフィリンまたは式（ＩＶ）の二座配位子などの炭素供与体または窒素供与体と有機金属錯体を形成する：
【０１４３】
【化２３】
0005981926.tif 000026
上式で、Ａｒ４およびＡｒ５は、同じであっても異なっていてもよく、独立に、置換されていてもよいアリールもしくはヘテロアリールから選択され；Ｘ１およびＹ１は、同じであっても異なっていてもよく、独立に、炭素または窒素から選択され；Ａｒ４およびＡｒ５は、縮合していてよい。Ｘ１が炭素であり、Ｙ１が窒素である配位子が特に好ましい。
【０１４４】
二座配位子の例を下に示す。
【０１４５】
【化２４】
0005981926.tif 000027
Ａｒ４およびＡｒ５の各々は、１個以上の置換基を有することができる。これらの置換基の２個以上を連結させて、環、例えば芳香環を形成することができる。特に好ましい置換基としては、国際公開第０２／４５４６６号、同第０２／４４１８９号、米国特許出願公開第２００２−１１７６６２号および同第２００２−１８２４４１号に開示されるような、錯体の発光をブルーシフトさせるために使用することができるフッ素またはトリフルオロメチル；特開２００２−３２４６７９号に開示されるようなアルキル基またはアルコキシ基；国際公開第０２／８１４４８号に開示されるような、発光材料として使用された場合に錯体への正孔輸送を助けるために使用することのできるカルバゾール；欧州特許第１２４５６５９号に開示されるような、さらなる基の付着のための配位子を官能化する働きをすることができる臭素、塩素またはヨウ素；ならびに、国際公開第０２／６６５５２号に開示されるような、金属錯体の溶液処理性を獲得または向上させるために使用することのできるデンドロンが挙げられる。
【０１４６】
発光デンドリマーは、一般に１以上のデンドロンと結合した発光コアを含み、この際、各々のデンドロンは、１つの分岐点および２以上の樹枝状の分岐を含む。好ましくは、デンドロンは、少なくとも部分的に共役し、コアおよび樹状分岐のうちの少なくとも１つは、アリールもしくはヘテロアリール基を含む。
【０１４７】
ｄ−ブロック元素とともに使用するのに適したその他の配位子としては、ジケトナート、特にアセチルアセトナート（ａｃａｃ）；トリアリールホスフィンおよびピリジンが挙げられ、その各々が置換されていてよい。
【０１４８】
主族金属錯体は、配位子に基づく発光、または電荷移動発光を示す。これらの錯体に関して、発光色は、配位子ならびに金属の選択によって決定される。
【０１４９】
広い範囲の蛍光低分子量金属錯体が公知であり、有機発光素子において実証されている［例えば、Ｍａｃｒｏｍｏｌ．Ｓｙｍ．１２５（１９９７）１−４８、米国特許第５，１５０，００６号、同第６，０８３，６３４号および同第５，４３２，０１４号参照］。二価もしくは三価金属に適した配位子としては：例えば酸素−窒素もしくは酸素−酸素供与性原子をもつオキシノイド、通常、置換基酸素原子をもつ環窒素原子、または置換基酸素原子をもつ置換基窒素原子もしくは酸素原子、例えば８−ヒドロキシキノレートおよびヒドロキシキノキサリノール−１０−ヒドロキシベンゾ（ｈ）キノリナト（ＩＩ）など、ベンザゾール（ＩＩＩ）、シッフ塩基、アゾインドール、クロモン誘導体、３−ヒドロキシフラボン、ならびにカルボン酸、例えばサリシラトアミノカルボキシレートおよびエステルカルボキシレートなどが挙げられる。随意の置換基としては、発光色を変更することのできる（ヘテロ）芳香環上のハロゲン、アルキル、アルコキシ、ハロアルキル、シアノ、アミノ、アミド、スルホニル、カルボニル、アリールまたはヘテロアリールが挙げられる。
【０１５０】
さらなる層
ＯＬＥＤは、アノードとカソードの間に正孔輸送層３および発光層４以外の層を含むことができ、その例は下に記載される。
【０１５１】
導電性有機材料または無機材料から形成することのできる、導電性正孔注入層を、アノードから半導体ポリマーの１または複数の層への正孔注入を支援するために、アノードと発光層の間に設けることができる。ドープされた有機正孔注入材料の例としては、置換されていてもよい、ドープされたポリ（エチレンジオキシチオフェン）（ＰＥＤＴ）、特に欧州特許第０９０１１７６号および同第０９４７１２３号に開示されるポリスチレンスルホネート（ＰＳＳ）などの電荷平衡化ポリ酸でドープされたＰＥＤＴ、ポリアクリル酸またはフッ素化スルホン酸、例えばＮａｆｉｏｎ（登録商標）；米国特許第５７２３８７３号および同第５７９８１７０号に開示されるポリアニリン；ならびに、置換されていてもよいポリチオフェンまたはポリ（チエノチオフェン）が挙げられる。導電性無機材料の例としては、遷移金属酸化物、例えばＪｏｕｒｎａｌ  ｏｆ  Ｐｈｙｓｉｃｓ  Ｄ：Ａｐｐｌｉｅｄ  Ｐｈｙｓｉｃｓ（１９９６），２９（１１），２７５０−２７５３に開示されるＶＯｘ、ＭｏＯｘおよびＲｕＯｘなどが挙げられる。
【０１５２】
１以上のさらなる電荷輸送層または電荷ブロッキング層、例えばさらなる正孔輸送層、１以上の電荷輸送層、１以上の電子ブロッキング層および１以上の正孔ブロッキング層を設けてもよい。
【０１５３】
カソード
カソード５は、エレクトロルミネッセンス層への電子の注入を可能にする仕事関数を有する材料から選択される。カソードと発光層の発光材料との間の有害な相互作用の可能性（特にカソードと発光層が直接接触している場合）などのその他の要因が、カソードの選択に影響を及ぼす。カソード５は、アルミニウムの層などの単一材料で構成されてよい。あるいは、カソードは、複数の金属、例えば国際公開第９８／１０６２１号に開示されるようなカルシウムおよびアルミニウムなどの低仕事関数材料と高仕事関数材料からなる二層；国際公開第９８／５７３８１号、Ａｐｐｌ．Ｐｈｙｓ．Ｌｅｔｔ．２００２，８１（４），６３４および国際公開第０２／８４７５９号に開示されるような元素バリウム；あるいは、電子の注入を助けるための金属化合物の薄層、特にアルカリまたはアルカリ土類金属の酸化物またはフッ化物、例えば国際公開第００／４８２５８号に開示されるようなフッ化リチウムの薄層；Ａｐｐｌ．Ｐｈｙｓ．Ｌｅｔｔ．２００１，７９（５），２００１に開示されるようなフッ化バリウム；および酸化バリウムを含んでよい。素子への電子の効率的な注入をもたらすために、カソードは、好ましくは３．５ｅＶ未満、より好ましくは３．２ｅＶ未満、最も好ましくは３ｅＶ未満の仕事関数を有する。金属の仕事関数は、例えば、Ｍｉｃｈａｅｌｓｏｎ，Ｊ．Ａｐｐｌ．Ｐｈｙｓ．４８（１１），４７２９，１９７７において見出すことができる。
【０１５４】
カソードは、不透明であっても透明であってもよい。透明なカソードは、アクティブ・マトリックス素子に特に有利である。それはかかる素子において透明なアノードを通した発光が、発光画素の下に位置する駆動回路によって少なくとも部分的に遮られるためである。透明なカソードは、透明となるのに十分な薄さの電子注入材料の層を含む。一般に、この層の側面の導電率は、その薄さの結果として低くなる。この場合、電子注入材料の層は、酸化インジウムスズなどの透明な導電性材料のより厚い層と組み合わせて使用される。
【０１５５】
透明なカソード素子は、透明なアノードを有する必要はなく（当然ながら、完全に透明な素子が望まれる場合は除く）、そのため、底部の発光素子に使用される透明なアノードが、アルミニウムの層などの反射性材料の層で置き換えられるか、または補われてよいことは、当然理解される。透明なカソード素子の例は、例えば、英国特許第２３４８３１６号に開示されている。
【０１５６】
封止
ＯＬＥＤ素子は、水分および酸素に対して敏感な傾向がある。したがって、水分および酸素が素子中に侵入するのを防ぐために、基板は、良好なバリア特性を有することが好ましい。基板は、一般にガラスであるが、特に素子の柔軟性が望ましい場合は、代わりとなる基板を使用してもよい。例えば、基板は、交互になったプラスチック層とバリア層からなる基板を開示する米国特許第６２６８６９５号にあるようなプラスチックかまたは欧州特許第０９４９８５０号に開示される薄いガラスとプラスチックの積層体を含んでよい。
【０１５７】
素子は、水分および酸素の侵入を防ぐために封止材（図示せず）で封止されることが好ましい。適した封止材には、ガラスシート、適したバリア特性を有するフィルム、例えば二酸化ケイ素、一酸化ケイ素、窒化ケイ素または例えば、国際公開第０１／８１６４９号に開示されるようなポリマーと誘電体を交互に積み重ねたものなど、あるいは、例えば、国際公開第０１／１９１４２号に開示されるような気密容器が挙げられる。透明なカソード素子の場合には、一酸化ケイ素または二酸化ケイ素などの透明な封止層をミクロンレベルの厚さに堆積することができるが、１つの好ましい実施形態では、そのような層の厚さは、２０〜３００ｎｍの範囲内である。基板または封止材を透過し得るいずれの大気中の水分および／または酸素も吸収するためのゲッター材料を基板と封止材の間に配置してもよい。
【０１５８】
溶液処理
正孔輸送層３および発光層４は、真空蒸着および溶媒中の溶液からの堆積を含む、任意のプロセスによって堆積させることができる。
【０１５９】
正孔輸送ポリマーを堆積させて正孔輸送層３を形成する際、正孔輸送ポリマーの架橋性繰り返し単位を架橋させて、ポリマーを実質的に不溶性にし、それにより、発光層５を堆積させるために使用した溶媒によって正孔輸送ポリマーを実質的に溶解せずに、溶液処理法により発光層５を形成させる。架橋性繰り返し単位は、任意の適した手段、例えばＵＶ照射または加熱によって架橋させることができる。
【０１６０】
正孔輸送層３および発光層４の一方または両方がポリアリーレン、例えばポリフルオレンなどを含む場合、溶液堆積に適した溶媒には、トルエンおよびキシレンなどのモノ−もしくはポリ−アルキルベンゼンが含まれる。特に好ましい溶液堆積技法には、印刷およびコーティング技法、好ましくはスピンコーティングおよびインクジェット印刷が含まれる。
【０１６１】
スピンコーティングは、発光材料のパターニングが不必要な素子、例えば照明用途または単純なモノクロ分割ディスプレイに特に適している。
【０１６２】
インクジェット印刷は、高情報量ディスプレイ、特にフルカラーディスプレイに特に適している。第１の電極の上にパターニングされた層を設け、一色（モノクロ素子の場合）または多色（マルチカラー、特にフルカラー素子の場合）印刷用のウェルを規定することによって、素子にインクジェット印刷することができる。パターニングされた層は、一般に、例えば、欧州特許第０８８０３０３号に記載されるように、ウェルを規定するようにパターニングされたフォトレジストの層である。
【０１６３】
ウェルの代わりの方法として、パターニングされた層の内部に規定されたチャネルにインクを印刷してもよい。特に、フォトレジストをパターニングすると、ウェルとは違って、複数の画素の上にまたがり、チャネル端で開閉することのできるチャネルを形成することができる。
【０１６４】
その他の溶液堆積技法としては、浸漬コーティング、ロール印刷およびスクリーン印刷が挙げられる。
【実施例】
【０１６５】
モノマー合成
三重項消光モノマーは、以下のプロセスに従って、例えば、ＴＣＩ  Ｅｕｒｏｐｅより入手可能なジブロモアントラキノンから始めて調製することができる。
【０１６６】
【化２５】
0005981926.tif 000028
ポリマー実施例１
正孔輸送ポリマーは、国際公開第００／５３６５６号に記載されるようにスズキ重合によって、以下のモノマーと２モル％のモノマー１の重合により形成した。
【０１６７】
【化２７】
0005981926.tif 000029
このポリマーの重量平均分子量は４５８，０００、数平均分子量は９６，０００であった。
【０１６８】
比較ポリマー１
比較目的のため、２モル％のモノマー１を２モル％の２，７−ジブロモ−９，９−ジオクチルフルオレンに置き換えたことを除いて、同じポリマーを形成した。
【０１６９】
素子実施例１
次の構造を有する有機発光素子を形成した：
ＩＴＯ／ＨＩＬ／ＨＴＬ／ＬＥ／カソード
上式で、ＨＩＬは、正孔注入材料を含む正孔注入層であり、ＨＴＬは、ポリマー実施例１を約２０ｎｍの厚さにスピンコーティングすることにより形成した正孔輸送層であり；ＬＥは、約７０ｎｍの厚さに形成した、赤色リン光材料とブレンドした式（ＩＶ）のフルオレン繰り返し単位ならびに式（Ｖ）の青色および緑色発光アミン繰り返し単位を含む発光ポリマーを含む白色発光層であり；カソードは、約５ｎｍまでの厚さの金属フッ化物、アルミニウム（約２００ｎｍ）および銀（約１００ｎｍ）の三層構造を含む。
【０１７０】
比較目的のため、比較ポリマー１をポリマー実施例１の代わりに用いることを除いて、比較素子１を上記のように形成した。結果を下の表に要約する。表中で、Ｔ８０は、素子の輝度が定電流でその初期値の８０％に低下するまでの時間であり、ＣＩＥ（ｘ，ｙ）は、ＣＩＥ  １９３１色空間色度図上の座標である。
【０１７１】
【表１】
0005981926.tif 000030
素子のＴ８０は、２，６−アントラセン繰り返し単位をポリマーに含めることによって、約５０％増加する。さらに、２，６−アントラセン繰り返し単位の蛍光から生じる光が正孔輸送層から放射されるが、全体的に素子から放射される色の変化はごくわずかである。
【０１７２】
本発明を、具体的な例となる実施形態に関して説明したが、本明細書に開示される特徴の様々な修正、変更および／または組合せは、以下の特許請求の範囲に示される発明の範囲から逸脱することなく、当業者に明らかであることは当然理解される。
【図１】
0005981926.tif 000036
【図２】
0005981926.tif 000037
【図３】
0005981926.tif 000038